(57)【特許請求の範囲】
【請求項１】
端子収容室に対する端子金具の挿入方向と交差する方向に弾性撓み可能なランスを備え、前記端子収容室に挿入した前記端子金具を前記ランスの係止作用により抜止めするコネクタに用いられ、
前記ランスによる係止を解除する作業を行う際には、前記ランスの撓み方向と交差する方向に移動させることで前記ランスを係止解除方向へ撓ませる治具であって、
前記ランスの撓み方向と前記治具の移動方向の両方向に対して傾斜した形態であり、係止解除作業時の移動過程において、前記ランスを押圧して係止解除方向へ撓ませる係止解除面と、
係止解除作業時の移動過程において、前記端子金具を、前記ランスの撓み方向に関して前記ランスから遠ざかる方向へ押圧して変位させる端子押圧部とを備えており、
前記端子押圧部が、前記端子金具に形成されて前記ランスの係止対象となる角筒部の角縁部を、対角方向に押圧する形態であることを特徴とする治具。
【請求項２】
係止解除作業時の移動過程において、前記ランスによる係止が解除された後に、前記端子金具を前記端子収容室から離脱させる方向へ押し戻す押し戻し部を備えていることを特徴とする請求項１記載の治具。
【請求項３】
係止解除作業が完了する位置まで移動したときに、前記ハウジングに突き当たるストッパを備えていることを特徴とする請求項１又は請求項２記載の治具。
【発明の詳細な説明】
【技術分野】
【０００１】
本発明は、治具に関するものである。
【背景技術】
【０００２】
特許文献１には、ハウジングの端子収容室に挿入した端子金具を、ランスの係止作用によって抜止めし、端子金具を端子収容室から抜き取る際には、治具によってランスを撓ませることで係止解除するコネクタが開示されている。治具は、ランスに対しその撓み方向と交差する方向に移動させ、ランスの撓み方向に対して傾斜した係止解除面でランスを押圧することにより、ランスを撓ませるようになっている。
【先行技術文献】
【特許文献】
【０００３】
【特許文献１】特開２００８−２７００２６号公報
【発明の概要】
【発明が解決しようとする課題】
【０００４】
上記のコネクタでは、係止解除に必要な治具の移動ストロークは、係止解除に必要なランスの撓み量に概ね比例するため、ランスの係止解除に必要な撓み量が大きいと、その分、治具の移動ストロークが長くなり、作業性の低下を来すことが懸念される。また、治具を係止解除方向へ移動させている過程で、治具が移動方向と交差する方向に位置ずれすると、係止解除面がランスを押すタイミングに狂いが生じ、ランスの撓みが不十分となる虞がある。この場合、治具を再び移動させる必要があるため、作業性が低下することになる。
本発明は上記のような事情に基づいて完成されたものであって、治具によってランスを係止解除方向へ撓ませる際の作業性向上を図ることを目的とする。
【課題を解決するための手段】
【０００５】
第１の発明は、
端子収容室に対する端子金具の挿入方向と交差する方向に弾性撓み可能なランスを備え、前記端子収容室に挿入した前記端子金具を前記ランスの係止作用により抜止めするコネクタに用いられ、
前記ランスによる係止を解除する作業を行う際には、前記ランスの撓み方向と交差する方向に移動させることで前記ランスを係止解除方向へ撓ませる治具であって、
前記ランスの撓み方向と前記治具の移動方向の両方向に対して傾斜した形態であり、係止解除作業時の移動過程において、前記ランスを押圧して係止解除方向へ撓ませる係止解除面と、
係止解除作業時の移動過程において、前記端子金具を、前記ランスの撓み方向に関して前記ランスから遠ざかる方向へ押圧して変位させる端子押圧部とを備えており、
前記端子押圧部が、前記端子金具に形成されて前記ランスの係止対象となる角筒部の角縁部を、対角方向に押圧する形態であるところに特徴を有する。
【発明の効果】
【０００７】
第１の発明の治具は、ランスによる係止を解除する際に、ランスの撓み方向と治具の移動方向の両方向に対して傾斜した係止解除面でランスを押すため、係止解除に必要な治具の移動ストロークは、係止解除に必要なランスの撓み量に概ね比例する。そこで、治具に形成した端子押圧部により、端子金具をランスの撓み方向に関してランスから遠ざかる方向へ変位させるようにした。これにより、係止解除に必要とされるランスの撓み量が少なくなり、その分、係止解除に必要な治具の移動ストロークが短くなるので、作業性に優れている。
また、端子押圧部が端子金具を押圧するときの接触面積は、端子押圧部が角筒部の平面部を押圧する場合に比べて小さく、その分、端子押圧部と角筒部との間の摺動抵抗が小さくなる。したがって、作業性に優れている。
【図面の簡単な説明】
【０００９】
【図１】実施例１においてハウジングに治具を差し込んだ状態をあらわす正面図
【図２】ハウジングにおいて本体からフロントリテーナを外した状態をあらわす正面図
【図３】治具による係止解除作業の過程をあらわす図１のＡ−Ａ線断面図
【図４】治具による係止解除作業の過程をあらわす図１のＢ−Ｂ線断面図
【図５】治具による係止解除作業が完了した状態をあらわす図１のＡ−Ａ線断面図
【図６】治具による係止解除作業が完了した状態をあらわす図１のＢ−Ｂ線断面図
【図７】図３のＣ−Ｃ線断面図
【図８】図３のＤ−Ｄ線断面図
【図９】治具を上下反転させた状態の斜視図
【発明を実施するための形態】
【００１０】
第１の発明の治具は、
係止解除作業時の移動過程において、前記ランスによる係止が解除された後に、前記端子金具を前記端子収容室から離脱させる方向へ押し戻す押し戻し部を備えていてもよい。
この構成によれば、係止解除作業が完了すると、端子金具が押し戻し部によって押し戻されるので、端子金具とランスが干渉し、ランスは、治具で撓ませておかなくても係止解除状態に保持される。この後は、治具による係止解除作業を行わなくても、端子金具を抜き取ることができる。したがって、治具による係止解除作業を継続したままで端子金具を抜き取る場合に比べると、作業性が良い。
【００１２】
第１の発明の治具は、
係止解除作業が完了する位置まで移動したときに、前記ハウジングに突き当たるストッパを備えていてもよい。
この構成によれば、ストッパがハウジングに突き当たるまで治具を移動させることを、作業マニュアルとして定めておけば、治具による係止解除作業を確実に完了させることができる。
【００１３】
＜実施例１＞
以下、本発明を具体化した実施例１を図１〜図９を参照して説明する。図３〜６に示すように、コネクタ１０は、ハウジング１１と端子金具３０とを備えて構成されている。ハウジング１１は、合成樹脂製の本体１２と、本体１２に対し前方（図３〜６における左方）から組み付けられるフロントリテーナ１８との２部材から構成されている。本体１２の内部には、前後方向に貫通する端子収容室１３が形成されている。端子収容室１３の前端部には、前止まり部１４が形成されている。端子収容室１３内には後方から端子金具３０が挿入され、端子金具３０は、前止まり部１４に突き当たることで、正規の挿入位置において前止まりされる。端子金具３０の挿入方向は、後述する治具４０の係止解除作業時の移動方向と平行な方向である。
【００１４】
端子金具３０は、全体として前後方向に細長い。端子金具３０の前端部には、図１，７，８に示すように、正面形状が縦長の長方形をなす角筒部３１が形成されている。角筒部３１の上面は、前端側が後端側に比べて段差状に高くなっていて、この高低差により、角筒部３１の上面には係止部３２が形成されている。また、端子収容室１３の内壁面と角筒部３１の外面との間には、端子収容室１３に対する端子金具３０の挿入動作を円滑にするために僅かな隙間（図示省略）が確保されている。この隙間により、角筒部３１は、端子収容室１３内において上下方向及び左右方向へ僅かに変位し得るようになっている。上下方向と左右方向は、いずれも、端子金具３０の挿入方向と交差する方向である。
【００１５】
図３〜６に示すように、本体１２には、端子収容室１３の上側の内壁面に沿って前方へ片持ち状に延出した形態のランス１５が形成されている。図５，６に示すように、ランス１５は、角筒部３１の上面から離間するように上方（係止解除方向）へ弾性撓みし得るようになっている。端子金具３０が端子収容室１３に挿入する過程では、角筒部３１がランス１５を上方へ退避させるように弾性撓みさせる。端子金具３０が正規の挿入位置に到達すると、ランス１５が弾性復帰し、ランス１５の前端の係止面１６が係止部３２に対して後方から係止し、この係止作用によって端子金具３０が抜止め状態に保持される。また、治具４０を用いてランス１５を上方（つまり、係止解除方向）へ撓ませると、ランス１５による端子金具３０の係止が解除され、端子金具３０を後方へ抜き取ることができるようになる。
【００１６】
図１，２，４，６に示すように、ランス１５の前端面には、左右方向（つまり、ランス１５の撓み方向と交差する方向）において係止面１６と隣接するように配された受け面１７が形成されている。受け面１７は、左右方向において角筒部３１から外れた位置に配されている。受け面１７は、ランス１５の撓み方向及び治具４０の移動方向と両方向に対して傾斜している。受け面１７には、治具４０の係止解除面４６が前方から押圧されるようになっている。
【００１７】
フロントリテーナ１８は、前方から本体１２に外嵌するように組み付けられ、図３〜６に示す仮係止位置と、仮係止位置よりも後方の本係止位置（図示省略）とに保持されるようになっている。フロントリテーナ１８は、本体１２の前端面と対応する前面壁１９と、前面壁１９の外周から後方へ片持ち状に延出して本体１２を全周に亘って包囲する筒状部２０とを有する。前面壁１９には、端子収容室１３と対応する貫通孔２１が形成されている。
【００１８】
筒状部２０を構成する上壁部２２には、その下面（ランス１５との対向面）を部分的に凹ませた形態の撓み空間２３が形成されている。前後方向における撓み空間２３の形成範囲は、上壁部２２の後端側領域である。撓み空間２３は、上壁部２２（筒状部２０）の後方へ開放されている。上壁部２２の下面のうち、前後方向における略中央部であって撓み空間２３の前端よりも前方の領域は、撓み規制部２４となっている。撓み規制部２４の後端部と撓み空間２３の前端部は、段差状に繋がっている。
【００１９】
図５，６に示すように、フロントリテーナ１８が仮係止位置に保持されている状態では、上壁部２２のうち撓み空間２３が形成されている領域が、ランス１５の上方に位置するので、ランス１５は、撓み空間２３内に進入しながら上方（係止解除方向）へ撓むことができる。したがって、端子収容室１３に端子金具３０を挿入する作業と端子収容室１３から端子金具３０を抜き取る作業が可能となっている。また、フロントリテーナ１８を本係止位置へ移動させると、上壁部２２のうち撓み規制部２４がランス１５の上面に対して当接又は接近して対向する状態となるので、ランス１５は上方への撓みを規制される。これにより、ランス１５が端子金具３０の係止部３２から外れることが確実に阻止されるので、端子金具３０は確実に抜止めされる。
【００２０】
フロントリテーナ１８には、治具４０を係止解除のために移動させる際に、治具４０が上下方向及び左右方向へ位置ずれするのを規制するためのガイド機能部２５が形成されている。ガイド機能部２５は、前面壁１９に形成したガイド孔２６と、上壁部２２の下面に形成したガイド溝２７とから構成されている。図１，７に示すように、ガイド孔２６は、上下寸法に比べて左右寸法が長い長方形をなし、前面壁１９を前後方向に貫通している。ガイド溝２７は、上壁部２２の下面のうち撓み空間２３よりも前方の領域を構成し、前後方向に延びている。ガイド溝２７の上面とガイド孔２６の上面は面一状に連続し、ガイド溝２７の左右両側面とガイド孔２６の左右両側面は面一状に連続している。
【００２１】
治具４０は、端子金具３０を端子収容室１３から抜き取る際に、ランス１５による端子金具３０への係止を解除するために使用されるものである。図９に示すように、治具４０は、全体として前後方向に細長い。ランス１５の係止を解除するための作業を行う際には、図３〜６に示すように、ハウジング１１に対しその前方から治具４０を差し込むようになっている。
【００２２】
尚、以下の説明において、治具４０に関する前後の方向は、ハウジング１１に差し込む方向を前方とする。したがって、ハウジング１１における前後の方向と、治具４０における前後の方向と、正反対の向きとなる。また、上下左右の方向については、係止解除作業の際に治具４０をハウジング１１に差し込んだ状態を基準とする。したがって、図９に示す斜視図は上下左右の向きが逆になる。
【００２３】
治具４０は、金属製であり、解除機能部４１と把持部４２とから構成されている。解除機能部４１は、全体として前後方向に細長く、前後方向において治具４０の前端部に配されている。治具４０のうち解除機能部４１よりも後方の細長い部分が、把持部４２となっている。係止解除の際には、作業者は把持部４２を掴んで作業を行う。把持部４２の左右寸法は解除機能部４１よりも大きく、この寸法差により、把持部４２の前端面のうち解除機能部４１が形成されていない領域に、ストッパ４３が形成されている。
【００２４】
解除機能部４１は、被ガイド部４４、係止解除部４５、係止解除面４６、支持部４７、誘導面４８、端子押圧部５０、及び押し戻し部５１を備えて構成されている。解除機能部４１のうち前後方向における後端側部分は、前後方向に細長い被ガイド部４４となっている。被ガイド部４４の長さ方向（前後方向）と直角な断面形状は、左右寸法が上下寸法に比べて大きい長方形をなしている。図３〜７に示すように、被ガイド部４４は、フロントリテーナ１８のガイド孔２６に対し、上下方向及び左右方向へのガタ付きなく貫通されるようになっている。
【００２５】
被ガイド部４４の前端からは、前後方向に長い係止解除部４５が、前方へ片持ち状に延出している。係止解除部４５の左右寸法は被ガイド部４４のほぼ半分の寸法であり、係止解除部４５の上下寸法は被ガイド部４４と同じ寸法である。係止解除部４５の上面と下面は、夫々、被ガイド部４４の上面と下面に対して面一状に連続している。また、係止解除部４５の両側面のうちハウジング１１に向かって右側の側面は、被ガイド部４４の右側の側面に対して面一状に連続している。係止解除部４５の前端面は、治具４０（係止解除部４５）の長さ方向に対して傾斜した係止解除面４６となっている。係止解除面４６は、係止解除作業の際に前方に向かって下り勾配となる向きに傾斜している。
【００２６】
被ガイド部４４の前端のうち、左右方向において係止解除部４５から外れた領域からは、前後方向に長い板状をなす支持部４７が、前方へ片持ち状に延出している。支持部４７の左右寸法は被ガイド部４４のほぼ半分の寸法であり、支持部４７の上下寸法は、被ガイド部４４及び係止解除部４５のほぼ半分の寸法である。支持部４７の上面は、被ガイド部４４及び係止解除部４５の上面に対して面一状に連続している。支持部４７の左側の側面は、被ガイド部４４の左側の側面に対して面一状に連続している。また、支持部４７の右側の側縁と係止解除部４５の左側の側縁とは、直接的に繋がっている。
【００２７】
支持部４７の前端は、前後方向において係止解除部４５（係止解除面４６）の前端よりも後方に位置する。支持部４７の前端面は、治具４０（係止解除部４５）の長さ方向に対して傾斜した誘導面４８となっている。誘導面４８は、係止解除面４６とは上下逆に、係止解除作業の際に前方に向かって上り勾配となる向きに傾斜している。
【００２８】
支持部４７の厚さ（上下寸法）は係止解除部４５に比べて薄いため、支持部４７の下面と係止解除部４５の下面との間で高低差が生じている。この高低差により、解除機能部４１には、支持部４７の下面と係止解除部４５の左側面とに臨む略Ｌ字形断面の凹部４９が形成されている。凹部４９は、治具４０の前方へ開放されている。図８に示すように、治具４０による係止解除作業の際には、凹部４９内に角筒部３１の角縁部３３が収容されるようになっている。
【００２９】
凹部４９の角隅部（つまり、支持部４７の下面と係止解除部４５の左側面とが略直角に繋がる部分）には、支持部４７の下面と係止解除部４５の左側面の両面に対して斜めをなす端子押圧部５０が形成されている。端子押圧部５０は、前後方向において支持部４７の前端から後端に亘って連続して形成されている。
【００３０】
また、支持部４７の厚さは被ガイド部４４に比べて薄いため、支持部４７の下面と被ガイド部４４の下面前端部との間で高低差が生じている。この高低差により、被ガイド部４４の前端部が段差状の押し戻し部５１となっている。押し戻し部５１の前端面は、凹部４９に臨んでいる。
【００３１】
次に、本実施例の作用を説明する。端子金具３０を端子収容室１３から抜き取るために、治具４０による係止を解除する際には、予め、フロントリテーナ１８を仮係止位置へ移動させておき、その後、解除機能部４１を先に向けて治具４０をガイド孔２６内に差し込む。治具４０を係止解除作業のために移動させる過程では、作業開始から作業完了に至るまで、解除機能部４１が、ガイド孔２６とガイド溝２７に摺接することにより、上下方向及び左右方向に位置決めされた状態が維持される。
【００３２】
治具４０の移動が進む過程では、図８に示すように、端子押圧部５０が、角筒部３１の外面のうち上面と側面が略直角に繋がる角縁部３３に当接し、角筒部３１を斜め下方向（つまり、対角方向）へ押圧して変位させる。これにより、角筒部３１は、端子収容室１３の下面と側面とが繋がる角隅部に押し付けられ、姿勢が上下左右方向において傾くことなく、安定した姿勢に保たれる。この端子押圧部５０による押圧方向は、ランス１５の弾性撓み方向に関して、角筒部３１をランス１５から遠ざける方向であるから、係止部３２とランス１５との係止代は、角筒部３１の変位寸法分だけ小さくなる。端子押圧部５０は、治具４０の移動方向と平行に連続して延びているので、端子押圧部５０による角筒部３１への押圧作用は、治具４０の移動が進む間、維持される。
【００３３】
治具４０の移動が進むと、図４に示すように、押し戻し部５１が角筒部３１の前端に到達するより先に、治具４０の係止解除面４６がランス１５の受け面１７に当接する状態となる。この時点でも、端子押圧部５０による角筒部３１の押圧は継続している。この状態から、治具４０の移動が更に進むと、図６に示すように、係止解除面４６と受け面１７とが摺接し、両面４６，１７の傾斜により、ランス１５が係止解除方向（上方）へ弾性撓みさせられる。このランス１５の撓みに伴い、係止面１６と係止部３２との係止代が減少し、最終的には、図５に示すように、係止面１６が係止部３２から完全に外れる。これにより、ランス１５による端子金具３０への係止が解除されるので、端子金具３０は、後方への変位が許容される。
【００３４】
この状態から、ストッパ４３がフロントリテーナ１８の前端面に突き当たるまで、治具４０の移動を進める。すると、図５に示すように、押し戻し部５１が、角筒部３１をその前方から押圧することにより、端子金具３０が端子収容室１３の後方へ押し戻される。この間、係止解除面４６によるランス１５の弾性撓みは続く。端子金具３０が押し戻されると、係止部３２がランス１５の下に潜り込むので、ランス１５は、係止部３２への係止位置へ弾性復帰できなくなる。そして、ストッパ４３がフロントリテーナ１８の前端面に突き当たると、治具４０による係止解除作業が完了する。この後は、治具４０から手を離して、端子金具３０を後方へ引き抜けばよい。
【００３５】
本実施例のコネクタ１０は、ランス１５による係止を解除する際に、ランス１５の撓み方向と治具４０の移動方向の両方向に対して傾斜した係止解除面４６でランス１５を押すため、係止解除に必要な治具４０の移動ストロークが、係止解除に必要なランス１５の撓み量に概ね比例する。そのため、ランス１５の係止解除に必要な撓み量が大きいと、その分、治具４０の移動ストロークが長くなり、作業性の低下を来すことが懸念される。
【００３６】
そこで、治具４０には、係止解除面４６の他に、係止解除作業時の移動過程において、端子金具３０を、ランス１５の撓み方向に関してランス１５から遠ざかる方向へ押圧して変位させる端子押圧部５０を形成した。この端子押圧部５０により、係止解除に必要とされるランス１５の撓み量が少なくなるので、その分、係止解除に必要な治具４０の移動ストロークが短くなる。したがって、作業性に優れている。
【００３７】
また、治具４０には、係止解除作業時の移動過程において、ランス１５による係止が解除された後に、端子金具３０を端子収容室１３から離脱させる方向へ押し戻す押し戻し部５１を形成した。この構成によれば、係止解除作業が完了した時に、端子金具３０が押し戻し部５１によって押し戻されるので、端子金具３０とランス１５が干渉し、ランス１５は、治具４０で撓ませておかなくても係止解除状態に保持される。この後は、治具４０による係止解除作業を行わなくても、端子金具３０を抜き取ることができる。したがって、治具４０による係止解除作業を継続したままで端子金具３０を抜き取る場合に比べると、作業性が良い。
【００３８】
また、端子押圧部５０は、角筒部３１の角縁部３３を、対角方向（つまり、角筒部３１の角縁部３３に繋がる略直角な２つの外面に対して斜めの方向）に押圧するようになっている。これにより、端子押圧部５０で押された角筒部３１は、端子収容室１３の角隅部に押し付けられる。端子押圧部５０が角筒部３１の角縁部３３を押圧する構成としたことにより、端子押圧部５０が端子金具３０を押圧するときの接触面積は、端子押圧部５０が角筒部３１の平面部（上面）を面当たり状態で押圧する場合に比べると小さくなる。その分、端子押圧部５０と角筒部３１との間の摺動抵抗が小さくなるので、作業性に優れている。
【００３９】
また、治具４０には、係止解除作業が完了する位置まで移動したときに、ハウジング１１に突き当たるストッパ４３を形成している。したがって、ストッパ４３がハウジング１１に突き当たるまで治具４０を移動させることを、作業マニュアルとして定めておけば、治具４０による係止解除作業を確実に完了させることができる。
【００４０】
また、治具４０を係止解除方向へ移動させている過程では、治具４０が移動方向と交差する方向に位置ずれすると、係止解除面４６がランス１５を押すタイミングに狂いが生じ、ランス１５の撓みが不十分となる虞がある。この場合、治具４０を再び移動させる必要があるため、作業性が低下することになる。そこで、ハウジング１１には、治具４０の係止解除作業時の移動方向に沿って延びるようにガイド機能部２５を形成し、このガイド機能部２５により、治具４０が移動方向と交差する方向へ不正に変位するのを規制した。このガイド機能部２５によれば、治具４０の位置ずれが原因となって、係止解除面４６でランス１５を押すタイミングに狂いが生じる、という虞がなくなる。これにより、ランス１５を必要寸法だけ確実に撓ませることができるので、作業性に優れている。
【００４１】
＜他の実施例＞
本発明は上記記述及び図面によって説明した実施例に限定されるものではなく、例えば次のような実施例も本発明の技術的範囲に含まれる。
（１）上記実施例では、係止解除作業時の移動過程において、端子押圧部が端子金具を変位させた後に、係止解除面がランスを押圧したが、係止解除面がランスを押圧した後に、端子押圧部が端子金具を変位させてもよい。
（２）上記実施例では、治具に押し戻し部を形成したが、治具は、押し戻し部を形成しない形態であってもよい。
（３）上記実施例では、治具にストッパを形成したが、治具は、ストッパを形成しない形態であってもよい。
（４）上記実施例では、ランスの係止を解除する際の治具の移動方向を端子金具の挿入方向と略平行としたが、治具の移動方向は端子金具の挿入方向と交差する方向であってもよい。
（５）上記実施例では、ハウジングが、端子収容室が形成された本体と、フロントリテーナとの２つの部材を組み付けて構成されているが、ハウジングは単一部材からなるものであってもよい。
＜参考例＞
（１）上記実施例では、端子押圧部が、端子金具の角筒部の角縁部をランスの撓み方向に対して斜め方向（対角方向）に押圧したが、端子押圧部は、角筒部をランスの撓み方向と略平行な方向に押圧する構成が考えられる。
【符号の説明】
【００４２】
１０…コネクタ
１１…ハウジング
１３…端子収容室
１５…ランス
２５…ガイド機能部
３０…端子金具
３１…角筒部
３３…角縁部
４０…治具
４３…ストッパ
４６…係止解除面
５０…端子押圧部
５１…押し戻し部
【図１】
0005747866.tif 000002
【図２】
0005747866.tif 000003
【図３】
0005747866.tif 000004
【図４】
0005747866.tif 000005
【図５】
0005747866.tif 000006
【図６】
0005747866.tif 000007
【図７】
0005747866.tif 000008
【図８】
0005747866.tif 000009
【図９】
0005747866.tif 000010